(57)【特許請求の範囲】
【請求項１】
櫛状、梯子状もしくは螺旋状に構成され、その櫛歯、段もしくは線材の部分が幹、支柱もしくは螺旋軸に対して一定角度傾斜して略平行に配置され、そのうち端部配置の櫛歯、段もしくは線材の部分を衣類側への装着部とし、それ以外の櫛歯、段もしくは線材の部分をそれらの隙間にテープ状肩紐の下端部を厚さ方向に屈曲させて千鳥状に挿通し得る肩紐挿通部としたことを特徴とする肩紐寄せ具。
【請求項２】
肩紐挿通部の幹、支柱もしくは螺旋軸に対する傾斜角度は、略７５度である請求項１記載の肩紐寄せ具。
【請求項３】
櫛状または梯子状に構成された肩紐寄せ具であって、櫛歯または段の一部分が幹または支柱の部分に対して反対の側から折り込まれた折り込み構造とされている請求項１又は２記載の肩紐寄せ具。
【請求項４】
請求項１から３までのいずれかに記載の肩紐寄せ具を、衣類の上下方向に対して傾斜した状態で装着し、この肩紐寄せ具に肩紐を連結したことを特徴とする肩紐止め構造。
【請求項５】
肩紐寄せ具は、衣類に対して着脱可能である請求項４記載の肩紐止め構造。
【請求項６】
請求項４または５記載の肩紐止め構造を適用して構成したことを特徴とする衣類。
【請求項７】
請求項６記載の衣類はブラジャー、その他胸部補整具を有する下着であることを特徴とする衣類。
【発明の詳細な説明】
【０００１】
【発明の属する技術分野】
本発明は、例えばブラジャーに肩紐（ストラップ）を止める場合等に適用される肩紐寄せ具、同寄せ具を用いた肩紐止め構造および衣類に関するものである。
【０００２】
【従来の技術】
従来、ブラジャーにストラップを止めるための止め具が種々知られている。図１６はその一例として、引掛け式のものを示している。この止め具６はいわゆるエイト環と称されるものの一種で、その一部を切り欠いて開口７を形成し、その開口７を介して一辺８を衣類に着脱可能に挿入できるようにし、上側の孔９にストラップを挿通するようになっている
図１７は、例えば図１６に示した止め具６と、ストラップ伸縮調整具１とを用いたストラップ１０付きのブラジャー１１の装着状態を、前面側から示したものである。この図１７に示すように、従来ではストラップ１０が水平ライン１２に対して略垂直に立上がる状態で、ブラジャー１１が装着される。
【０００３】
【発明が解決しようとする課題】
ところで、上述したストラップ１０の略垂直な装着状態を検討すると、例えば図１８に正面形状を示すように、人体１３の肩１４が略水平で、かつ図１９に平面形状を示すように、胸部１５と背部１６とに亘る前後幅が略一定である場合に好適であって、実際の人体とは異なる立体的形状を前提としているものといえる。つまり、このような立体形状のもとではストラップ１０が略垂直に装着された場合に、安定して肩１４の上に装着され得るからである。
【０００４】
しかしながら、実際の人体はそのようなものではない。図２０に斜め前方視、図２１および図２２に胸部横断面視および頭部上方平面視を示したように、実際の人体１３は傾斜および凹凸を有する立体形状をなしている。すなわち、図２０に示すように、人体１３の首筋から肩１４の先に向かう線は下向きに傾斜しており、また図２１に示すように、胸部１５および背部１６は乳房等の膨らみによって前後に凹凸をなし、かつ図２２に示すように、肩１４の前後の面も同様の傾斜を有している。つまり、胸部１５は、中心側が窪み、左右に向って大きく膨らみ、乳頭を頂点として脇下に向ってなだらかに傾斜し、背部１６へと繋がる。
【０００５】
このように、胸部１５から肩１４にかけて肌に接触する面積が小さくなるような凹凸を有する人体１３に対し、図１７に示したように、垂直に立上がるストラップ１０を装着しても、肩先方向に向かう傾斜および接圧の減少によって、ストラップ１０が肩先方向にずれ落ちる傾向が生じる。
【０００６】
図１６および図１７に示した従来の止め具６では、ストラップ１０の引張り力の作用する方向（上下方向）に対して略直交する状態で孔が形成されていることから、その止め具６において特にずれ落ち力に対する抵抗力は何等発生し得ない。
【０００７】
なお、特開平６−３１５４０５号公報、特開平１０−２３７７０６号公報等においては、ブラジャーとストラップとの止め具として、外縁の一部を円形にして回動可能としたり、全体を三角形にして、ストラップが首筋側に寄せられ易い構成としたものが開示されている。
【０００８】
しかし、これらの止め具においては、ストラップの最下端を単に体側方向に向き易くしただけのものであって、特にストラップのずれ落ち力に対する抵抗力を付与するものではなく、前述したずれ落ちの問題が必ずしも効果的に解決できるものではない。
【０００９】
本発明はこのような事情に鑑みてなされたもので、ストラップが肩の傾斜に沿ってずれ落ちることをストラップと衣類との接合部で有効に防止または抑制できる反力を生じさせることができる肩紐寄せ具、この寄せ具を用いた肩紐止め構造、およびその肩紐寄せ具を用いて安定装着状態を得ることができる衣類を提供することを目的とする。
【００１０】
【課題を解決するための手段】
前記の目的を達成するために、請求項１の発明では、櫛状、梯子状もしくは螺旋状に構成され、その櫛歯、段もしくは線材の部分が幹、支柱もしくは螺旋軸に対して一定角度傾斜した状態で略平行に配置され、そのうち端部配置の櫛歯、段もしくは線材の部分を衣類側への装着部とし、それ以外の櫛歯、段もしくは線材の部分をそれらの隙間にテープ状肩紐の下端部を厚さ方向に屈曲させて千鳥状に挿通し得る肩紐挿通部としたことを特徴とする肩紐寄せ具を提供する。
【００１１】
請求項２の発明では、肩紐挿通部の幹、支柱もしくは螺旋軸に対する傾斜角度は、略７５度である請求項１記載の肩紐寄せ具を提供する。
【００１２】
請求項３の発明では、櫛状または梯子状に構成された肩紐寄せ具であって、櫛歯または段の一部分が幹または支柱の部分に対して反対の側から折り込まれた折り込み構造とされている肩紐寄せ具を提供する。
【００１３】
請求項４の発明では、請求項１から３までのいずれかに記載の肩紐寄せ具を、衣類の上下方向に対して傾斜した状態で装着し、この肩紐寄せ具に肩紐を連結したことを特徴とする肩紐止め構造を提供する。
【００１４】
請求項５の発明では、肩紐寄せ具は、衣類に対して着脱可能である肩紐止め構造を提供する。
【００１５】
請求項６の発明では、請求項４または５記載の肩紐止め構造を適用して構成したことを特徴とする衣類を提供する。
【００１６】
請求項７の発明では、請求項６記載の衣類がブラジャー、その他胸部補整具を有する下着であることを特徴とする衣類を提供する。
【００１７】
【発明の実施の形態】
以下、本発明の一実施形態について図面を参照して説明する。なお、本実施形態では、ブラジャーの肩紐に本発明を適用した場合について説明する。
【００１８】
第１実施形態（図１〜図５）
図１は本実施形態によるストラップの寄せ具の一構成例を示したものであり、図２は図１に示した肩紐寄せ具を実際に使用する場合に対応して左右１対示したものである。図３は肩紐寄せ具をブラジャーに装着した状態を拡大して示し、図４および図５は前面および背面側からの装着状態全体を示したものである。
【００１９】
図１に示すように、本実施形態の肩紐寄せ具２１は例えば薄い金属または樹脂により櫛形に構成され、複数（例えば９本）の櫛歯状部分２２が、幹部分２３に対して一定角度（例えば７５°）傾斜した状態で略平行に配置されている。
【００２０】
そして、これらの櫛歯状部分２２のうち、下端部配置の櫛歯２２ａ、が衣類側への装着部とされ、それ以外の櫛歯状部分２２が、それらの隙間にテープ状肩紐の下端部を厚さ方向に屈曲させて千鳥状に挿通し得る肩紐挿通部とされている。
【００２１】
各櫛歯状部分２２の先端には一部のものを除き、櫛歯間の隙間に向く方向に突出するフック部２４が形成されるとともに、そのフック部２４が突出する側の櫛歯状部分２２の一縁部２５が長さ方向中央部分において緩やかに膨らむ曲線形状となっている。なお、上端側から２番目の櫛歯状部分２２ｂのみは、フック部および曲線形状のない構成とされている。
【００２２】
また、本実施形態の肩紐寄せ具２１は全体として平板状に構成されており、表裏反転することによって櫛歯状部分２２の突出方向が逆のものとして使用することができる。
【００２３】
図２は、表裏逆にした同一構成の肩紐寄せ具２１を、左右に１組として配置した状態を示している。同図に示したように、各肩紐寄せ具２１は櫛歯状部分２２が水平状態で、かつ互いに向き合う方向に突出した配置で１組として使用される。
【００２４】
次に、図３〜図５によって使用状態を説明する。図３は、本実施形態の肩紐寄せ具２１によってブラジャー２６とストラップ２７とを接合した状態を前面側から拡大して示している。
【００２５】
この図３に示すように、本実施形態では肩紐寄せ具２１の衣類装着部である最下端の櫛歯状部分２２ａを、ブラジャー２６の止め具装着用孔２８を利用して着脱可能に挿入して装着した状態を示している。通常、この止め具装着孔２８には、図示しないが丸環等の止め具が装着されている。その丸環を装着したままで、または取外した状態で、本実施形態の肩紐寄せ具２１をブラジャー２６の止め具装着用孔２８に装着することができる（図３では丸環を省略した状態を示してある）。
【００２６】
一方、ブラジャー２６を吊るストラップ２７はテープ状で、その下端部側にエイト環等の長さ調整具２９が装着され、この長さ調整具２９から下側の部分がループ状となって二重に重なった状態となっている。この二重となったストラップ２７のうち、例えば装着者の体の外側に配置する部分３０が、厚さ方向に屈曲しながら各櫛歯状部分２２に千鳥状に挿通されている。そして、このストラップ２７の最下端が、下から２番目の櫛歯状部分２２の下方を介して上向きに巻回された状態となっている。これにより、ブラジャー２６が肩紐寄せ具２１を介してストラップ２７で吊られている。なお、上から２番目の櫛歯状部分２２ｂは、最上端側のフック部２４が下向に突出してそれとの間隔が狭くなっていることから、フック部等を有しない構成したものであり、これによりストラップ２７をスムーズに装着することができる。
【００２７】
次に、上述した肩紐寄せ具２１を用いた肩紐止め構造およびそれを適用した衣類（ブラジャー）について説明する。
【００２８】
図４はブラジャー２６を装着した人体３１を示す正面図であり、図５はその背面図である。これらの図４および図５に示すように、本実施形態では、肩紐寄せ具２１が、ブラジャー２７の正面側および背側に左右１対ずつ配置され、ストラップ２７の両端部は、ブラジャー２６の胸側および背側で肩紐寄せ具２１を介してそれぞれ装着される。各櫛歯状部分２２に装着されたストラップ２７は、フック部２４によって脱落防止が図られている。
【００２９】
そして、この場合において、ストラップ２７の下端部は前述したように、各櫛歯状部分２２に千鳥状に挿通されている。このものにおいて、本実施形態の肩紐寄せ具２１では、各櫛歯状部分２２が幹部分２３に対して略７５°の角度で傾斜しているため、ストラップ２７に作用する上下方向の引張り力Ｆ１により、体の中心側に向かう分力Ｆ２が発生する。
【００３０】
すなわち、図３に示したように、肩紐寄せ具２１の下端部の櫛歯状部分２２ａが略水平な状態でストラップ２７の下端部に固定されており、その状態で肩紐寄せ具２１が定姿勢で安定しているのに対し、各櫛歯状部分２２に通されるストラップ２７の挿通部分３０は、幹部分２３との角度（７５°）によって幅方向に強制力を受け、直接的な分力Ｆ’１を生じる。この分力Ｆ’１によって、ストラップ２７の肩に掛かる部分には体の中心側に引き寄せられる分力（図４，５のＦ２）が生じるものである。なお、櫛歯状部分２２と幹部分２３との角度については、発明者において種々変化させて検討したが、この角度が大き過ぎては体の中心側に向かう分力の効果が得られず、小さ過ぎても不具合が生じ、一般的な体型に沿うものとしては、７５°が最適であった。
【００３１】
以上の本実施形態によれば、分力Ｆ２の発生によって体の中心側に向かって引き寄せられ、肩の傾斜等に逆らって首側に向うような作用を受け、従来のようなずれ落ちを防止、あるいは抑止する効果が得られるものとなる。すなわち、従来の止め具によっては、このような分力が発生せず、図４、５に仮想線で示すように、ストラップ２７が肩の傾斜や体の凹凸によって肩先方向にずれ易い状態にあったのに対し、本実施形態によれば、これを確実に解消することができる。
【００３２】
第２実施形態（図６、図７）
本実施形態は、第１実施形態で示した型紐寄せ具に対し、櫛歯状部分２２の数および形状等について変更したものである。図６は肩紐寄せ具２１の構成を示す正面図であり、図７はその使用状態を示す説明図である。
【００３３】
これらの図に示すように、本実施形態では櫛歯状部分２２が、上下および中間部に配置される３組とされ、各組は上下に隣接した櫛歯状部分２２をそれぞれ１対ずつ有する構成となっている。本実施形態では上端位置および中間位置の櫛歯状部分２２にフック部が設けられず、それらの組における隣接する各１対の櫛歯状部分２２の隙間を奥広がり状とし、これによりフック部に代えてストラップ２７の脱落防止を図っている。本実施形態においても、櫛歯状部分２２と幹部分２３とのなす角度は７５°とされている。
【００３４】
このような構成の本実施形態によると、ストラップ２７が上下および中間位置の櫛歯状部分２２により、上下方向３箇所で支持されることになるが、上下端位置の櫛歯状部分２２のなす角度が７５°であることから、装着されたストラップ２７に対して十分な体中心側に向う分力を発生させることができ、第１実施形態と略同様の効果が奏される。なお、本実施形態によれば、構成が簡易であるとともに、ストラップ２７の屈曲回数が減少するので、使用についても比較的容易となる等の利便性が得られる。
【００３５】
第３実施形態（図８、図９）
本実施形態も、第１実施形態で示した型紐寄せ具に対し、櫛歯状部分２２の数および形状等について変更したものである。図８は肩紐寄せ具２１の構成を示す正面図であり、図９はその使用状態を示す説明図である。
【００３６】
これらの図に示すように、本実施形態では櫛歯状部分２２が、上端側および下端側および中間部に配置される２組とされている。各組では上下に隣接した櫛歯状部分２２をそれぞれ１対ずつ有する構成となっている。本実施形態では上端および下端位置の櫛歯状部分２２にフック部２４が設けられ、各組における隣接する各１対の櫛歯状部分２２の支持状態は第１実施形態と略同様となっている。本実施形態においても、櫛歯状部分２２と幹部分２３とのなす角度は７５°とされている。
【００３７】
このような構成の本実施形態によると、ストラップ２７が上下端位置の櫛歯状部分２２により、上下方向２箇所で支持されることになるが、上下端位置の櫛歯状部分２２のなす角度が７５°であることから、装着されたストラップ２７に対して十分な体中心側に向う分力を発生させることができ、前記各実施形態と略同様の効果が奏される。
【００３８】
なお、本実施形態の場合には前記各実施形態に比してさらに櫛歯状部分２２の数が少なく、中間部が空状態となっているので、図９に示すように、その部分にエイト環等の長さ調整具２９を配置することができる。したがって、例えばストラップ２７の長さが少なく、下端のループ状部分が少ない時などに有効に対処することができる。
【００３９】
第４実施形態（図１０、図１１）
本実施形態は、第２実施形態で示した型紐寄せ具と略同様の機能を有するものであるが、櫛歯状部分２２の一部分を幹部分２３に対して反対の側から折り込まれた折り込み構造としたものである。図１０は肩紐寄せ具２１の初期構成を示す正面図であり、図１１はその使用状態を示す説明図である。
【００４０】
本実施形態では図１０に示すように、初期状態においては櫛歯状部分２２の一部、例えば上端位置および中間位置の２組の櫛歯状部分２２のうち各下側部分のものが、各上側部分のものに対して反対側に向って突出している。この肩紐寄せ具２１の材質としては、金属、樹脂等、折曲可能なものであればよく、可塑材および弾性材のいずれも適用することができる。
【００４１】
本実施形態においては、各組をなす櫛歯状部分２２に係止部、例えば上下に向う突起部３２が設けられている。そして、図１０の右側に示す櫛歯状部分２２を紙面の裏側を介して左方に折り込んだ後、図１１に示すように、櫛歯状部分２２の重合位置を超える位置まで移動して突起部３２を相互に干渉させることにより、戻り阻止状態に当接係止させることができる。
【００４２】
これにより図１１に示すように、ストラップ２７を閉じ枠状に挿通保持させ、ストラップ２７の脱落を確実に防止することができる。なお、他の構成に付いては前記各実施形態と略同様である。
【００４３】
本実施形態によっても、前記各実施形態と同様の効果が奏されるほか、ストラップの装着が確実に保持できる等の利点が得られる。
【００４４】
第５実施形態（図１２、図１３）
本実施形態も、第４実施形態と同様に、櫛歯状部分２２の一部分を幹部分２３に対して反対の側から折り込む構造としたものである。図１２は肩紐寄せ具２１の初期構成を示す正面図であり、図１３はその使用状態を示す説明図である。
【００４５】
本実施形態では図１２に示すように、第３実施形態と同様に上下端のみに櫛歯状部分２２を有する構成について、第４実施形態と同様の折り込み構造を適用したものである。すなわち、下端初期状態においては櫛歯状部分２２の上端位置の１組の櫛歯状部分２２の下側部分のものが、上側部分のものに対して反対側に向って突出している。この肩紐寄せ具２１の材質および他の構成については、第４実施形態と略同様であるから、図１２および図１３の対応部分に図１０および図１１と同一の符号を付して説明を省略する。なお、図示しないが本実施形態では折り込んで重ねた櫛歯状部分２２を、例えば凹凸によるホック止め等により係止している。
【００４６】
本実施形態によっても、第４実施形態と同様の効果が奏されるほか、中間部が空状態となっているので、図１３に示すように、その部分にエイト環等の長さ調整具２９を配置することができる等、第３実施形態と同様の利点が得られる。
【００４７】
第６実施形態（図１４、図１５）
本実施形態は、肩紐寄せ具２１を螺旋状、例えば平面的な蛇行線材によって構成したものである。図１４は肩紐寄せ具２１の初期構成を示す正面図であり、図１５はその使用状態を示す説明図である。
【００４８】
図１４に示すように、本実施形態では螺旋を構成する金属または樹脂等からなる線材３３の部分が螺旋軸に対して一定角度、例えば７５°傾斜しており、複数の平行な部分３３ａを有する。
【００４９】
この線材３３の最下端の部分３３ｂが衣類側への装着部とされ、それ以外の線材の部分がそれらの隙間にテープ状のストラップ２７を厚さ方向に屈曲させて千鳥状に挿通し得る肩紐挿通部となっている。
【００５０】
本実施形態においては、図１５に示すように、最下端の部分３３ｃがブラジャー２６に前記各実施形態と同様に止着され、また最下端から２番目の位置に鉤状に形成した部分３３ｃにストラップ２７の下端が巻回支持される。
【００５１】
このような構成の本実施形態によっても、前記各実施形態と同様に、分力の発生によって体の中心側に向かって引き寄せられ、肩の傾斜等に逆らって首側に向うような作用を受け、従来のようなずれ落ちを防止、あるいは抑止する効果が得られる。
【００５２】
他の実施形態
なお、以上の実施形態の他、本発明は種々の変形が可能である。すなわち、図示しないが例えば第１実施形態における幹が左右に存在するような構成、例えば肩紐寄せ具を、梯子状に構成し、その段の部分を支柱に対して一定角度傾斜した状態で略平行に配置し、そのうち端部配置の段の部分を衣類側への装着部とし、それ以外の段の部分をそれらの隙間にテープ状肩紐の下端部を厚さ方向に屈曲させて千鳥状に挿通し得る肩紐挿通部としてもよい。また、特定の体型を想定して傾斜角度を種々変化させてもよく、さらに肩紐寄せ具を衣類に対して固定的に縫着してもよい。
【００５３】
さらにまた、肩紐で吊る構成の衣類であれば、ブラジャーに限らず胸部補整具を有する下着、その他各種の衣類に適用することができる。
【００５４】
【発明の効果】
以上のように、本発明によれば、肩紐が肩の傾斜に沿ってずれ落ちることを防止または抑制できる反力を肩紐寄せ具において発生させ、傾斜する肩に対する安定装着状態を得ることができ、肩紐が肩の傾斜に沿ってずれ落ちることを有効に防止または抑制し、装着性および補正効果の向上等が図れる。
【図面の簡単な説明】
【図１】本発明の第１実施形態による長さ調整用の寄せ具を示す拡大図。
【図２】前記実施形態における装着用の寄せ具を対として示す図。
【図３】前記実施形態における肩紐寄せ具をブラジャーに装着した状態を拡大して示す図。
【図４】前記実施形態における前面側からの装着状態全体を示す図。
【図５】前記実施形態における背面側からの装着状態全体を示す図。
【図６】本発明の第２実施形態による肩紐寄せ具の構成を示す正面図。
【図７】前記第２実施形態の使用状態を示す説明図。
【図８】本発明の第３実施形態による肩紐寄せ具の構成を示す正面図。
【図９】前記第３実施形態の使用状態を示す説明図。
【図１０】本発明の第４実施形態による肩紐寄せ具の構成を示す正面図。
【図１１】前記第４実施形態の使用状態を示す説明図。
【図１２】本発明の第５実施形態による肩紐寄せ具の構成を示す正面図。
【図１３】前記第５実施形態の使用状態を示す説明図。
【図１４】本発明の第６実施形態による肩紐寄せ具の構成を示す正面図。
【図１５】前記第６実施形態の使用状態を示す説明図。
【図１６】従来の止め具を示す図。
【図１７】従来の止め具を使用した肩紐の使用例を示す図。
【図１８】従来例を説明するための人体の模式図。
【図１９】図１８の平面図。
【図２０】従来例を説明するための人体を示す斜視図。
【図２１】図２０の胸部横断面形状を示す図。
【図２２】図２１の頭部上方からの平面図。
【符号の説明】
２１  肩紐寄せ具
２２  櫛歯状部分
２３  幹部分
２４  フック部
２６  ブラジャー
２７  ストラップ
２８  止め具装着用孔
２９  長さ調整具
３３  線材
【図１】
0003716383.tif 000002
【図２】
0003716383.tif 000003
【図３】
0003716383.tif 000004
【図４】
0003716383.tif 000005
【図５】
0003716383.tif 000006
【図６】
0003716383.tif 000007
【図７】
0003716383.tif 000008
【図８】
0003716383.tif 000009
【図９】
0003716383.tif 000010
【図１０】
0003716383.tif 000011
【図１１】
0003716383.tif 000012
【図１２】
0003716383.tif 000013
【図１３】
0003716383.tif 000014
【図１４】
0003716383.tif 000015
【図１５】
0003716383.tif 000016
【図１６】
0003716383.tif 000017
【図１７】
0003716383.tif 000018
【図１８】
0003716383.tif 000019
【図１９】
0003716383.tif 000020
【図２０】
0003716383.tif 000021
【図２１】
0003716383.tif 000022
【図２２】
0003716383.tif 000023